【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
Ａ）特定アドレス宛に送信されたメールデータを受信するユーザ端末、
Ｂ）前記ユーザ端末とネットワーク接続された情報仲介サーバ、
を備えた商品紹介システムであって、
Ｃ）前記情報仲介サーバは、個別商品特定情報が、複数列挙された商品特定情報リストを記憶するリスト記憶手段を記憶している、
c1)前記個別商品特定情報は、商品特定属性のうち人的属性文字列を含んだ文字列で構成され、特定の商品販売サイトにハイパーリンクされている、
c2)前記商品特定情報リストは、同じ人的属性文字列を有する個別商品特定情報毎にグループ化されて、グループ毎に別のＵＲＬに記憶されている、
Ｄ）前記ユーザ端末は、以下を備えていること、
d1)前記各グループに共通する人的属性文字列と、各グループ毎のＵＲＬの対応リストを記憶する対応リスト記憶手段、
d2)前記受信したメールデータから、前記対応リストの人的属性文字列を抽出して、抽出した人的属性文字列に対応するＵＲＬとハイパーリンク表示させるハイパーリンク処理手段、
d3)前記ハイパーリンク表示させた人的属性文字列が選択された選択命令が与えられると、対応するＵＲＬに記憶された商品特定情報リストの配信要求を前記情報仲介サーバに与え、前記情報仲介サーバから、前記商品特定情報リストを受け取ると、前記商品特定情報リストを表示するブラウザ処理手段、
を特徴とする商品紹介システム。
【請求項２】
Ａ）特定アドレス宛に送信されたメールデータを受信するユーザ端末、
Ｂ）前記ユーザ端末とネットワーク接続された情報仲介サーバ、
を備えた商品紹介システムであって、
Ｃ）前記情報仲介サーバは、以下の商品特定情報リスト記憶手段を備えている、
c1)商品特定属性のうち商品属性文字列を含んだ文字列で構成され、特定の商品販売サイトにハイパーリンクされている個別商品特定情報が、複数列挙された商品特定情報リストを記憶している、 
c2)前記商品特定情報リストは、同じ商品属性文字列を有する個別商品特定情報毎にグループ化されて、グループ毎に別のファイルに記憶されている、
Ｄ）前記ユーザ端末は、以下を備えていること、
前記各グループに共通する商品属性文字列と、各グループ毎のファイル格納先特定データの対応リストを記憶するファイル格納先特定データ記憶手段、
前記受信したメールデータから、前記対応リストの商品属性文字列を抽出して、抽出した商品属性文字列に対応するファイル格納先特定データとハイパーリンク表示させる表示制御手段、
を特徴とする商品紹介システム。
【請求項３】
商品特定属性のうち商品属性文字列を含んだ文字列で構成され、特定の商品販売サイトにハイパーリンクされた個別商品特定情報が、複数列挙された商品特定情報リストを記憶する商品特定情報リスト記憶手段であって、前記商品特定情報リストは、同じ商品属性文字列を有する個別商品特定情報毎にグループ化されて、グループ毎に別のファイルに記憶されている商品特定情報リスト記憶手段、
前記各グループに共通する商品属性文字列と、各グループ毎のファイル格納先特定データの対応リストを記憶するファイル格納先特定データ記憶手段、
受信したメールデータから、前記対応リストの商品属性文字列を抽出して、抽出した商品属性文字列に対応するファイル格納先特定データとハイパーリンク表示させる表示制御手段、
を備え、
前記表示制御手段は、前記ハイパーリンク表示させた商品属性文字列が選択された選択命令が与えられると、選択されたファイル記憶された商品特定情報リストを表示すること、
を特徴とするユーザ端末。
【請求項４】
Ａ）特定アドレス宛に送信されたメールデータを受信するユーザ端末、
Ｂ）前記ユーザ端末とネットワーク接続された情報仲介サーバ、
を備えた商品紹介システムであって、
Ｃ）前記情報仲介サーバは、以下の商品特定情報リスト記憶手段を備えている、
c1)商品特定属性のうち商品属性文字列を含んだ文字列で構成され、特定の商品販売サイトにハイパーリンクされている個別商品特定情報が、複数列挙された商品特定情報リストを記憶している、 
c2)前記商品特定情報リストは、同じ商品属性文字列を有する個別商品特定情報毎にグループ化されて、グループ毎に別のファイルに記憶されている、
ユーザ端末から商品属性文字列を特定したファイル格納先特定データ問い合わせ要求があると、前記商品特定情報リストを参照して、当該商品属性文字列を含む商品特定情報リストのファイル格納先特定データを送信する回答手段、
Ｄ）前記ユーザ端末は、以下を備えていること、
d1)前記各グループに共通する商品属性文字列リストを記憶する抽出文字列記憶手段、
d2)前記受信したメールデータに前記商品属性文字列記憶手段に記憶された文字列を抽出した場合には、これを前記情報仲介サーバに送信する送信手段、
d3)前記情報仲介サーバから、ファイル格納先特定データを受け取ると、抽出した文字列を、受け取ったファイル格納先特定データとハイパーリンク表示させる表示制御手段、
を特徴とする商品紹介システム。
【請求項５】
Ａ）テキストデータを含むコンテンツデータを供給する複数の情報提供サーバ、
Ｂ）前記ユーザ端末とネットワーク接続された情報仲介サーバ、
を備えた商品紹介システムであって、
Ｃ）前記情報仲介サーバは、下記商品特定情報リスト記憶手段、ファイル格納先特定データ記憶手段、ハイパーリンク処理手段を有すること、
Ｃ１)以下のc11),c12)の商品特定情報リスト記憶手段、
c11)商品特定属性のうち商品属性文字列を含んだ文字列で構成され、特定の商品販売サイトにハイパーリンクされている個別商品特定情報が、複数列挙された商品特定情報リストを記憶している、 
c12)前記商品特定情報リストは、同じ商品属性文字列を有する個別商品特定情報毎にグループ化されて、グループ毎に別のファイルに記憶されている、
Ｃ２）前記各グループに共通する商品属性文字列と、各グループ毎のファイル格納先特定データの対応リストを記憶するファイル格納先特定データ記憶手段、
Ｃ３）前記コンテンツデータから、前記対応リストの商品属性文字列を抽出して、抽出した商品属性文字列に対応するファイル格納先特定データとハイパーリンク処理させるハイパーリンク処理手段、
を特徴とする商品紹介システム。
【請求項６】
Ａ）テキストデータを含むコンテンツデータを供給する複数の情報提供サーバ、
Ｂ）前記情報提供サーバにアクセスして前記コンテンツデータを受信するユーザ端末、
Ｃ）前記ユーザ端末とネットワーク接続された情報仲介サーバ、
を備えた商品紹介システムであって、
Ｄ）前記情報仲介サーバは、下記の商品特定情報リスト記憶手段を有し、
ｄ１)以下のd11),d12)の商品特定情報リスト記憶手段、
d11)商品特定属性のうち商品属性文字列を含んだ文字列で構成され、特定の商品販売サイトにハイパーリンクされている個別商品特定情報が、複数列挙された商品特定情報リストを記憶している、 
d12)前記商品特定情報リストは、同じ商品属性文字列を有する個別商品特定情報毎にグループ化されて、グループ毎に別のファイルに記憶されている、
Ｅ）前記ユーザ端末は、下記のファイル格納先特定データ記憶手段、コンテンツデータ取得手段、ハイパーリンク処理手段を有すること、
e1)前記各グループに共通する商品属性文字列と、各グループ毎のファイル格納先特定データの対応リストを記憶するファイル格納先特定データ記憶手段、
e2)前記コンテンツサーバから前記コンテンツデータを取得するコンテンツデータ取得手段、
e3)前記取得したコンテンツデータについて、前記対応リストの商品属性文字列を抽出して、抽出した商品属性文字列に対応するファイル格納先特定データとハイパーリンク表示させるハイパーリンク処理手段、
を特徴とする商品紹介システム。
【手続補正２】
【補正対象書類名】明細書
【補正対象項目名】００１４
【補正方法】変更
【補正の内容】
【００１４】
(5)本発明にかかる商品紹介システムは Ａ）テキストデータを含むコンテンツデータを供給する複数の情報提供サーバ、Ｂ）前記ユーザ端末とネットワーク接続された情報仲介サーバ、を備えた商品紹介システムであって、Ｃ）前記情報仲介サーバは、下記商品特定情報リスト記憶手段、ファイル格納先特定データ記憶手段、ハイパーリンク処理手段を有し、Ｃ１)以下のc11),c12)の商品特定情報リスト記憶手段、c11)商品特定属性のうち商品属性文字列を含んだ文字列で構成され、特定の商品販売サイトにハイパーリンクされている個別商品特定情報が、複数列挙された商品特定情報リストを記憶している、c12)前記商品特定情報リストは、同じ商品属性文字列を有する個別商品特定情報毎にグループ化されて、グループ毎に別のファイルに記憶されている、Ｃ２）前記各グループに共通する商品属性文字列と、各グループ毎のファイル格納先特定データの対応リストを記憶するファイル格納先特定データ記憶手段、Ｃ３）前記コンテンツデータから、前記対応リストの商品属性文字列を抽出して、抽出した商品属性文字列に対応するファイル格納先特定データとハイパーリンク処理させるハイパーリンク処理手段。
【手続補正３】
【補正対象書類名】明細書
【補正対象項目名】００１６
【補正方法】変更
【補正の内容】
【００１６】
(6)本発明にかかる商品紹介システムは Ａ）テキストデータを含むコンテンツデータを供給する複数の情報提供サーバ、Ｂ）前記情報提供サーバにアクセスして前記コンテンツデータを受信するユーザ端末、Ｃ）前記ユーザ端末とネットワーク接続された情報仲介サーバ、を備えた商品紹介システムであって、Ｄ）前記情報仲介サーバは、下記の商品特定情報リスト記憶手段を有し、ｄ１)以下のd11),d12)の商品特定情報リスト記憶手段、d11)商品特定属性のうち商品属性文字列を含んだ文字列で構成され、特定の商品販売サイトにハイパーリンクされている個別商品特定情報が、複数列挙された商品特定情報リストを記憶している、d12)前記商品特定情報リストは、同じ商品属性文字列を有する個別商品特定情報毎にグループ化されて、グループ毎に別のファイルに記憶されている、Ｅ）前記ユーザ端末は、下記のファイル格納先特定データ記憶手段、コンテンツデータ取得手段、ハイパーリンク処理手段を有する、e1)前記各グループに共通する商品属性文字列と、各グループ毎のファイル格納先特定データの対応リストを記憶するファイル格納先特定データ記憶手段、e2)前記コンテンツサーバから前記コンテンツデータを取得するコンテンツデータ取得手段、e3)前記取得したコンテンツデータについて、前記対応リストの商品属性文字列を抽出して、抽出した商品属性文字列に対応するファイル格納先特定データとハイパーリンク表示させるハイパーリンク処理手段。
【手続補正４】
【補正対象書類名】明細書
【補正対象項目名】００１９
【補正方法】変更
【補正の内容】
【００１９】
【図１】本件システムにおける概要を説明するである。
【図１ｂ】本件システムにおける機能ブロック図である。
【図２】ユーザ端末１０を、ＣＰＵを用いて実現したハードウェア構成の一例を示す図である。
【図３】モジリストインデックステーブルのデータ構造を示す。
【図４】情報仲介サーバ５のハードウェア構成の一例を示す図である。
【図５ａ】リンク先特定モジリストデータを示す図である。
【図５ｂ】リンク先特定モジリストデータを示す図である。
【図６】ユーザ端末１０のメールプログラム２６mのフローチャートを示す図である。
【図７】受信したメールおよびハイパーリンク表示された状態を示す図である。
【図８】図５ｂのリンク先特定モジリストデータによる表示例である。
【図９】サーバに検索処理をさせる場合のテーブル例である。
【手続補正５】
【補正対象書類名】明細書
【補正対象項目名】００５９
【補正方法】変更
【補正の内容】
【００５９】
本実施形態においては、ユーザ端末のブラウザプログラムを用いて実現した場合を例として説明したが、このような表示が可能な専用プログラムをユーザ端末にインストールすることにより実行するようにしてもよい。
上記実施形態においては、図１ｂに示す機能を実現するために、ＣＰＵ２３を用い、ソフトウェアによってこれを実現している。しかし、その一部もしくは全てを、ロジック回路などのハードウェアによって実現してもよい。なお、プログラムの一部の処理を、オペレーティングシステム（ＯＳ）にさせるようにしてもよい。